(57)【要約】【課題】ユーザによるエンジニアリング情報の作成の負担を軽減し、エンジニアリング情報の誤りを見つけ易くする。【解決手段】機器管理装置は、ファウンデーションフィールドバス（ＦＦ）用のコントローラの機能をソフトウェアで実現したＦＦ通信コントローラ部１と、ＨＡＲＴ用のコントローラの機能をソフトウェアで実現したＨＡＲＴ通信コントローラ２と、ＦＦデバイス１０からＦＦ通信コントローラ部１が収集したアラート情報およびＨＡＲＴデバイス１２からＨＡＲＴ通信コントローラ２が収集したアラート情報を記憶するアラートデータベース３と、アラートデータベースに記憶されたアラート情報を基にエンジニアリング情報を作成するエンジニアリング情報作成部４とを備える。【選択図】  図１
2015185084.tif 000002
【特許請求の範囲】
【請求項１】
フィールド機器であるデバイスを監視し制御する機器管理装置において、
デバイスを制御するコントローラの機能をソフトウェアで実現したコントローラ部と、
このコントローラ部が前記デバイスから取得したアラート情報を記憶するアラートデータベースと、
このアラートデータベースに記憶されたアラート情報を基に前記デバイスのエンジニアリング情報を作成するエンジニアリング情報作成部とを備えることを特徴とする機器管理装置。
【請求項２】
請求項１記載の機器管理装置において、
前記エンジニアリング情報作成部は、
前記アラートデータベースに記憶された情報から、機器管理装置に接続された前記デバイスのアラート情報と、前記デバイスと機器管理装置との間に存在する介在機器によって取得されたデバイス情報と、前記介在機器の情報とを取得するアラート解析部と、
前記デバイスに設定されたパラメータを前記コントローラ部を通じて取得するデバイスパラメータ読込部と、
前記アラート解析部と前記デバイスパラメータ読込部とから受け取った情報を基に前記エンジニアリング情報を作成するエンジニアリング情報作成処理部とから構成されることを特徴とする機器管理装置。
【請求項３】
請求項２記載の機器管理装置において、
前記エンジニアリング情報作成処理部は、前記アラートデータベースおよび前記デバイスから取得できない情報が存在する場合には、この取得できない情報を当該デバイスのデバイス情報に対応する標準的な値で補完し、この補完した情報と、前記アラート解析部と前記デバイスパラメータ読込部とから受け取った情報を基に前記エンジニアリング情報を作成することを特徴とする機器管理装置。
【請求項４】
請求項２記載の機器管理装置において、
さらに、前記アラートデータベースおよび前記デバイスから取得できない情報が存在する場合に、この取得できない情報をユーザからの指示に応じて補完する設定部を備え、
前記エンジニアリング情報作成処理部は、前記設定部によって補完された情報と、前記アラート解析部と前記デバイスパラメータ読込部とから受け取った情報を基に前記エンジニアリング情報を作成することを特徴とする機器管理装置。
【請求項５】
請求項２乃至４のいずれか１項に記載の機器管理装置において、
前記アラート解析部は、前記アラートデータベースから特定の時間帯の情報のみを抽出することを特徴とする機器管理装置。
【請求項６】
フィールド機器であるデバイスを監視し制御する機器管理装置において、前記デバイスを制御するコントローラの機能をソフトウェアで実現したコントローラ部が、前記デバイスからアラート情報を取得してアラートデータベースに記憶させるアラート情報取得ステップと、
前記アラートデータベースに記憶されたアラート情報を基に前記デバイスのエンジニアリング情報を作成するエンジニアリング情報作成ステップとを含むことを特徴とする機器管理方法。
【請求項７】
請求項６記載の機器管理方法において、
前記エンジニアリング情報作成ステップは、
前記アラートデータベースに記憶された情報から、機器管理装置に接続された前記デバイスのアラート情報と、前記デバイスと機器管理装置との間に存在する介在機器によって取得されたデバイス情報と、前記介在機器の情報とを取得するアラート解析ステップと、
前記デバイスに設定されたパラメータを前記コントローラ部を通じて取得するデバイスパラメータ読込ステップと、
前記アラート解析ステップと前記デバイスパラメータ読込ステップで受け取った情報を基に前記エンジニアリング情報を作成するエンジニアリング情報作成処理ステップとを含むことを特徴とする機器管理方法。
【請求項８】
請求項７記載の機器管理方法において、
前記エンジニアリング情報作成処理ステップは、前記アラートデータベースおよび前記デバイスから取得できない情報が存在する場合には、この取得できない情報を当該デバイスのデバイス情報に対応する標準的な値で補完し、この補完した情報と、前記アラート解析ステップと前記デバイスパラメータ読込ステップで受け取った情報を基に前記エンジニアリング情報を作成するステップを含むことを特徴とする機器管理方法。
【請求項９】
請求項７記載の機器管理方法において、
さらに、前記アラートデータベースおよび前記デバイスから取得できない情報が存在する場合に、この取得できない情報をユーザからの指示に応じて補完する設定ステップを含み、
前記エンジニアリング情報作成処理ステップは、前記設定ステップによって補完された情報と、前記アラート解析部と前記デバイスパラメータ読込部とから受け取った情報を基に前記エンジニアリング情報を作成するステップを含むことを特徴とする機器管理方法。
【請求項１０】
請求項７乃至９のいずれか１項に記載の機器管理方法において、
前記アラート解析ステップは、前記アラートデータベースから特定の時間帯の情報のみを抽出するステップを含むことを特徴とする機器管理方法。
【発明の詳細な説明】
【技術分野】
【０００１】
本発明は、フィールド機器であるデバイスを監視し制御する機器管理装置および機器管理方法に関するものである。
【背景技術】
【０００２】
従来より、プラント管理室からフィールド機器を監視し制御する技術として、ファウンデーションフィールドバス（Foundation Fieldbus、以下、ＦＦ）システムやハート（Highway Addressable Remote Transducer、以下ＨＡＲＴ）システムが知られている。ＦＦシステムでは、図３に示すように機器管理装置１００等のステーションとＦＦ通信コントローラ１０１とは、別々の機器上に構成されている。機器管理装置１００とＦＦ通信コントローラ１０１との間はイーサネット（登録商標）等のコントロールネットワーク１０２によって接続されている。さらに、ＦＦ通信コントローラ１０１には、フィールド機器とＦＦ通信コントローラ１０１とを接続するインタフェースモジュールであるＦＦ通信インタフェース部１０３が接続され、ＦＦ通信インタフェース部１０３には、圧力発信機やポジショナ等のフィールド機器であるＦＦデバイス１０４が接続される。ＦＦ通信インタフェース部１０３とＦＦデバイス１０４との間はフィールドバス１０５によって接続されている。
【０００３】
一方、ＨＡＲＴシステムにおいても、機器管理装置１００とＨＡＲＴ通信コントローラ１０９とは、別々の機器上に構成されている。機器管理装置１００とＨＡＲＴ通信コントローラ１０９との間はコントロールネットワーク１０２によって接続されている。さらに、ＨＡＲＴ通信コントローラ１０９には、フィールド機器とＨＡＲＴ通信コントローラ１０９とを接続するインタフェースモジュールであるＨＡＲＴ通信インタフェース部１０６が接続され、ＨＡＲＴ通信インタフェース部１０６には、フィールド機器であるＨＡＲＴデバイス１０７が接続される。ＨＡＲＴ通信インタフェース部１０６とＨＡＲＴデバイス１０７との間はＨＡＲＴ通信線１０８によって接続されている。
【０００４】
生産プロセスを管理する現場では、プラント内に複数の機器を配置してプロセスを管理する。各機器は、図３に示したように階層構造で接続される。機器管理装置１００においては、その階層構造に合わせたツリー形式で機器を画面上に表示させ、多数の機器を把握し易くしており、各機器で発生したアラート（alert）をツリー上に表示するようにしている（特許文献１参照）。
【先行技術文献】
【特許文献】
【０００５】
【特許文献１】特開２００５−３４６４４４号公報
【発明の概要】
【発明が解決しようとする課題】
【０００６】
以上のように従来のシステムでは、機器のアラート情報を機器管理装置上に表示するが、アラート情報を機器管理装置上に表示するためには、機器構成などを定義したエンジニアリング情報をユーザが作成する必要があるという問題点があった。また、従来のシステムでは、仮にエンジニアリング情報が誤っていても、機器管理装置はエンジニアリング情報の誤りを検出することができず、エンジニアリング情報が誤っていると、機器管理装置が正しく動作しないという問題点があった。また、他のステーションでエンジニアリング情報を作成する場合、エンジニアリング情報を機器管理装置にコピーする必要があり、機器構成が変更になる度にエンジニアリング情報を機器管理装置にコピーする必要があるという問題点があった。
【０００７】
本発明は、上記課題を解決するためになされたもので、ユーザによるエンジニアリング情報の作成の負担を軽減し、またエンジニアリング情報の誤りを見つけ易くすることができる機器管理装置を提供することを目的とする。
【課題を解決するための手段】
【０００８】
本発明は、フィールド機器であるデバイスを監視し制御する機器管理装置において、デバイスを制御するコントローラの機能をソフトウェアで実現したコントローラ部と、このコントローラ部が前記デバイスから取得したアラート情報を記憶するアラートデータベースと、このアラートデータベースに記憶されたアラート情報を基に前記デバイスのエンジニアリング情報を作成するエンジニアリング情報作成部とを備えることを特徴とするものである。
また、本発明の機器管理装置の１構成例において、前記エンジニアリング情報作成部は、前記アラートデータベースに記憶された情報から、機器管理装置に接続された前記デバイスのアラート情報と、前記デバイスと機器管理装置との間に存在する介在機器によって取得されたデバイス情報と、前記介在機器の情報とを取得するアラート解析部と、前記デバイスに設定されたパラメータを前記コントローラ部を通じて取得するデバイスパラメータ読込部と、前記アラート解析部と前記デバイスパラメータ読込部とから受け取った情報を基に前記エンジニアリング情報を作成するエンジニアリング情報作成処理部とから構成されることを特徴とするものである。
また、本発明の機器管理装置の１構成例において、前記エンジニアリング情報作成処理部は、前記アラートデータベースおよび前記デバイスから取得できない情報が存在する場合には、この取得できない情報を当該デバイスのデバイス情報に対応する標準的な値で補完し、この補完した情報と、前記アラート解析部と前記デバイスパラメータ読込部とから受け取った情報を基に前記エンジニアリング情報を作成することを特徴とするものである。
また、本発明の機器管理装置の１構成例は、さらに、前記アラートデータベースおよび前記デバイスから取得できない情報が存在する場合に、この取得できない情報をユーザからの指示に応じて補完する設定部を備え、前記エンジニアリング情報作成処理部は、前記設定部によって補完された情報と、前記アラート解析部と前記デバイスパラメータ読込部とから受け取った情報を基に前記エンジニアリング情報を作成することを特徴とするものである。
また、本発明の機器管理装置の１構成例において、前記アラート解析部は、前記アラートデータベースから特定の時間帯の情報のみを抽出することを特徴とするものである。
【０００９】
また、本発明の機器管理方法は、フィールド機器であるデバイスを監視し制御する機器管理装置において、前記デバイスを制御するコントローラの機能をソフトウェアで実現したコントローラ部が、前記デバイスからアラート情報を取得してアラートデータベースに記憶させるアラート情報取得ステップと、前記アラートデータベースに記憶されたアラート情報を基に前記デバイスのエンジニアリング情報を作成するエンジニアリング情報作成ステップとを含むことを特徴とするものである。
【発明の効果】
【００１０】
本発明によれば、機器管理装置において短時間でエンジニアリング情報を自動的に作成することができ、ユーザによるエンジニアリング情報の作成の負担を軽減することができる。本発明では、エンジニアリング情報をユーザが作成しなくても、ツリー形式の機器構成表示機能およびアラート表示機能を起動することができるため、大量のアラートの解析が容易になる。また、本発明では、ユーザによって既にエンジニアリング情報が作成されている場合でも、実デバイスを使用してエンジニアリング情報を別途作成することができ、既に作成されているエンジニアリング情報と実際の接続との差異を検出することができる。これにより、エンジニアリング情報の設定ミスの検出、訂正が可能になる。
【図面の簡単な説明】
【００１１】
【図１】本発明の実施の形態に係る機器管理装置の構成を示すブロック図である。
【図２】本発明の実施の形態に係る機器管理装置の動作を示すフローチャートである。
【図３】従来のファウンデーションフィールドバスシステムおよびハートシステムの構成を示すブロック図である。
【発明を実施するための形態】
【００１２】
以下、本発明の実施の形態について図面を参照して説明する。図１は本発明の実施の形態に係る機器管理装置の構成を示すブロック図である。機器管理装置は、ＦＦ通信コントローラの機能をソフトウェアで実現したＦＦ通信コントローラ部１（コントローラ部）と、ＨＡＲＴ通信コントローラの機能をソフトウェアで実現したＨＡＲＴ通信コントローラ２（コントローラ部）と、ＦＦデバイス１０からＦＦ通信コントローラ部１が収集したアラート情報およびＨＡＲＴデバイス１２からＨＡＲＴ通信コントローラ２が収集したアラート情報を記憶するアラートデータベース３と、アラートデータベース３に記憶されたアラート情報を基にエンジニアリング情報を作成するエンジニアリング情報作成部４と、情報表示のための表示部５と、アラートデータベース３およびデバイス１０，１２から取得できない情報が存在する場合に、この取得できない情報をユーザからの指示に応じて補完する設定部６とを備えている。
【００１３】
エンジニアリング情報作成部４は、アラート取得部４０と、脱着アラート解析部４１と、デバイスパラメータ読込部４２と、エンジニアリング情報作成処理部４３とから構成される。
圧力発信機やポジショナ等のフィールド機器であるＦＦデバイス１０は、フィールドバス１４を介してインタフェースモジュールであるＦＦ通信インタフェース部１１（介在機器）と接続される。
同じく圧力発信機やポジショナ等のフィールド機器であるＨＡＲＴデバイス１２は、ＨＡＲＴ通信線１５を介してインタフェースモジュールであるＨＡＲＴ通信インタフェース部１３（介在機器）と接続される。ＦＦ通信インタフェース部１１とＨＡＲＴ通信インタフェース部１３は、コントロールネットワーク１６を介して機器管理装置と接続される。
【００１４】
本実施の形態の機器管理装置は、ＣＰＵ（Central Processing Unit）、記憶装置およびインタフェースを備えたコンピュータと、これらのハードウェア資源を制御するプログラムによって実現することができる。ＣＰＵは、記憶装置に格納されたプログラムに従って以下のような処理を実行する。
【００１５】
以下、本実施の形態の機器管理装置の動作を説明する。図２は機器管理装置の動作を示すフローチャートである。ＦＦデバイス１０やＨＡＲＴデバイス１２などの高機能デバイスは自己診断機能を備え、アラートを通知する機能を有している。アラートとしては、例えばデバイスに設定されている何らかのパラメータが変化したときに発生し、どのパラメータが変化したかを通知する変化アラートや、デバイスに何らかの異常が起きたときに発生し、どのような異常が発生したかを通知するデバイス異常アラートなどがある。
【００１６】
ユーザがＦＦデバイス１０をＦＦ通信インタフェース部１１に接続するか、ＨＡＲＴデバイス１２をＨＡＲＴ通信インタフェース部１３に接続すると（図２ステップＳ１）、ＦＦ通信コントローラ部１は、接続されたデバイスがＦＦデバイスの場合、ＦＦ通信インタフェース部１１を介してＦＦデバイス１０からアラート情報を受け取り、受け取ったアラート情報をアラートデータベース３に格納する（図２ステップＳ２）。
【００１７】
ＦＦデバイス１０からのアラート情報には、アラート種別、アラートを検出したブロックなどの情報が含まれる。ＦＦ通信インタフェース部１１は、ＦＦデバイス１０からのアラート情報に、自身のアドレス情報とＦＦデバイス１０から読み込んだデバイス情報などを付加して機器管理装置に送信する。デバイス情報としては、デバイスタイプ（例えば圧力発信機、ポジショナといったデバイスの種類）と、デバイスタグ（デバイスの名前）がある。ＦＦ通信コントローラ部１は、ＦＦデバイス１０からＦＦ通信インタフェース部１１を介して取得したアラート情報に自身のアドレス情報を付加する。その結果、ＦＦデバイス１０のアラート情報がＦＦ通信コントローラ部１に到着した時点で、アラート種別、アラートを検出したブロック、デバイスタイプ、デバイスタグ、ＦＦ通信インタフェース部アドレス、ＦＦ通信コントローラアドレスといった情報が取得できることになる。これらの情報がアラートデータベース３に格納される。
【００１８】
ＨＡＲＴ通信コントローラ２は、接続されたデバイスがＨＡＲＴデバイスの場合、ＨＡＲＴ通信インタフェース部１３を介してＨＡＲＴデバイス１２からアラート情報を受け取り、受け取ったアラート情報をアラートデータベース３に格納する（図２ステップＳ３）。ＨＡＲＴデバイス１２からのアラート情報には、アラート種別などの情報が含まれる。ＨＡＲＴ通信インタフェース部１３は、ＨＡＲＴデバイス１２からのアラート情報に、自身のアドレス情報と接続チャンネルの情報などを付加して機器管理装置に送信する。ＨＡＲＴ通信コントローラ２は、ＨＡＲＴデバイス１２からＨＡＲＴ通信インタフェース部１３を介して取得したアラート情報に自身のアドレス情報とＨＡＲＴデバイス１２から読み込んだデバイス情報などを付加する。その結果、ＨＡＲＴデバイス１２のアラート情報がＨＡＲＴ通信コントローラ２に到着した時点で、アラート種別、デバイスタイプ、デバイスタグ、ＨＡＲＴ通信インタフェース部アドレス、接続チャンネル、ＨＡＲＴ通信コントローラアドレスといった情報が取得できることになる。これらの情報がアラートデータベース３に格納される。
【００１９】
次に、アラート取得部４０は、アラートデータベース３に格納されているアラート情報のうち、デバイス毎の最新の脱着アラート情報を取得する（図２ステップＳ４）。脱着アラート情報とは、ＦＦデバイス１０またはＨＡＲＴデバイス１２が機器管理装置から外されるか、あるいは機器管理装置に接続されたことを示すアラート情報である。
【００２０】
脱着アラート解析部４１は、アラート取得部４０が取得した脱着アラート情報から１つのデバイスのアラート情報を取得する（図２ステップＳ５）。そして、脱着アラート解析部４１は、取得したアラート情報が、ＦＦデバイス１０またはＨＡＲＴデバイス１２の機器管理装置への接続を示す着アラート情報であるかどうかを判定する（図２ステップＳ６）。脱着アラート解析部４１は、取得したアラート情報が、ＦＦデバイス１０またはＨＡＲＴデバイス１２の機器管理装置からの取り外しを示す脱アラート情報である場合（ステップＳ６においてＮＯ）、ステップＳ５に戻り、別のデバイスのアラート情報を取得する。
【００２１】
脱着アラート解析部４１は、取得したアラート情報が着アラート情報である場合（ステップＳ６においてＹＥＳ）、この着アラート情報からコントローラの情報を取得する（図２ステップＳ７）。接続されたデバイスがＦＦデバイス１０の場合、コントローラの情報はＦＦ通信コントローラアドレスである。また、接続されたデバイスがＨＡＲＴデバイス１２の場合、コントローラの情報はＨＡＲＴ通信コントローラアドレスである。
【００２２】
続いて、脱着アラート解析部４１は、取得した着アラート情報からインタフェースモジュールの情報を取得する（図２ステップＳ８）。接続されたデバイスがＦＦデバイス１０の場合、インタフェースモジュールの情報はＦＦ通信インタフェース部アドレスである。また、接続されたデバイスがＨＡＲＴデバイス１２の場合、インタフェースモジュールの情報はＨＡＲＴ通信インタフェース部アドレスと接続チャンネルの情報である。
【００２３】
さらに、脱着アラート解析部４１は、取得した着アラート情報からデバイス情報を取得する（図２ステップＳ９）。上記のとおり、デバイス情報としては、デバイスタイプとデバイスタグとがある。脱着アラート解析部４１は、ステップＳ７〜Ｓ９で取得した情報をエンジニアリング情報作成処理部４３に渡す。
【００２４】
次に、デバイスパラメータ読込部４２は、デバイスに設定されているパラメータをＦＦ通信コントローラ部１またはＨＡＲＴ通信コントローラ２を通じて取得し、取得したパラメータをエンジニアリング情報作成処理部４３に渡す（図２ステップＳ１０）。デバイスパラメータ読込部４２は、接続されたデバイスがＦＦデバイス１０の場合、ＦＦデバイス１０に設定されているパラメータをＦＦ通信コントローラ部１を通じて取得する。また、デバイスパラメータ読込部４２は、接続されたデバイスがＨＡＲＴデバイス１２の場合、ＨＡＲＴデバイス１２に設定されているパラメータをＨＡＲＴ通信コントローラ２を通じて取得する。パラメータとしては、例えばポジショナの例であれば流量特性データなどがある。
【００２５】
エンジニアリング情報作成処理部４３は、脱着アラート解析部４１とデバイスパラメータ読込部４２とから受け取った情報を、エンジニアリング情報の作成リストに追加する（図２ステップＳ１１）。
アラート取得部４０が取得した脱着アラート情報の中にステップＳ５〜Ｓ１１の処理をしていない未処理の脱着アラート情報が存在する場合には（図２ステップＳ１２においてＹＥＳ）、ステップＳ５に戻る。未処理の脱着アラート情報が存在しない場合には、ステップＳ１３に進む。
【００２６】
エンジニアリング情報作成処理部４３は、エンジニアリング情報の作成リストに追加した情報を基にデバイス毎にエンジニアリング情報を作成するが、このときアラート情報および実デバイス（ＦＦデバイス１０またはＨＡＲＴデバイス１２）から取得できない情報が存在する場合には、この取得できない情報を当該デバイスのデバイスタイプに対応する標準的な値で補完する（図２ステップＳ１３）。デバイスタイプに対応する標準的な値は、予め用意されるデフォルトファイルで定義されている。デバイスタイプに応じて補完する情報としては、例えばデバイスのモデル名がある。なお、エンジニアリング情報作成処理部４３が自動的に補完する代わりに、設定部６が、アラート情報および実デバイスから取得できない情報を、ユーザからの指示に応じて補完するようにしてもよい。
【００２７】
最後に、エンジニアリング情報作成処理部４３は、脱着アラート解析部４１とデバイスパラメータ読込部４２とから受け取って作成リストに追加した情報と、補完した情報とを基にエンジニアリング情報をデバイス毎に作成する（図２ステップＳ１４）。
【００２８】
こうして、エンジニアリング情報作成処理部４３は、接続されたデバイスがＦＦデバイス１０の場合、アラート情報（アラート種別、アラートを検出したブロック）と、機器構成情報（デバイスタイプ、モデル名、デバイスタグ、ＦＦ通信インタフェース部アドレス、ＦＦ通信コントローラアドレス）と、パラメータとを含むエンジニアリング情報を作成することができる。また、エンジニアリング情報作成処理部４３は、接続されたデバイスがＨＡＲＴデバイス１２の場合、アラート情報（アラート種別）と、機器構成情報（デバイスタイプ、モデル名、デバイスタグ、ＨＡＲＴ通信インタフェース部アドレス、接続チャンネル、ＨＡＲＴ通信コントローラアドレス）と、パラメータとを含むエンジニアリング情報を作成することができる。
【００２９】
表示部５は、エンジニアリング情報作成処理部４３が作成したエンジニアリング情報を基に、機器管理装置に接続されている各機器の階層構造をツリー形式で画面上に表示する。また、表示部５は、各機器のアラート情報をツリー上に表示する。
【００３０】
以上のように、本実施の形態では、機器管理装置において短時間でエンジニアリング情報を自動的に作成することができ、ユーザによるエンジニアリング情報の作成の負担を軽減することができる。本実施の形態では、エンジニアリング情報をユーザが作成しなくても、ツリー形式の機器構成表示機能およびアラート表示機能を起動することができるため、大量のアラートの解析が容易になる。
【００３１】
また、本実施の形態では、ユーザによって既にエンジニアリング情報が作成されている場合でも、実デバイスを使用してエンジニアリング情報を別途作成することができ、既に作成されているエンジニアリング情報と実際の接続との差異を検出することができる。これにより、エンジニアリング情報の設定ミスの検出、訂正が可能になる。また、本実施の形態では、脱着アラート解析部４１でアラート情報を解析する際に、脱着アラート解析部４１がアラートの発生時刻でアラート情報をフィルタリングすることにより、特定の時間のエンジニアリング情報を作成することができ、特定の時間帯の機器構成を確認することができる。
【００３２】
なお、本実施の形態では、通信プロトコルの例として、ＦＦ、ＨＡＲＴを例に挙げて説明しているが、これに限るものではなく、他の通信プロトコルに本発明を適用してもよい。
【産業上の利用可能性】
【００３３】
本発明は、フィールド機器であるデバイスと接続して情報を取得する技術に適用することができる。
【符号の説明】
【００３４】
１…ＦＦ通信コントローラ部、２…ＨＡＲＴ通信コントローラ、３…アラートデータベース、４…エンジニアリング情報作成部、５…表示部、６…設定部、１０…ＦＦデバイス、１１…ＦＦ通信インタフェース部、１２…ＨＡＲＴデバイス、１３…ＨＡＲＴ通信インタフェース部、１４…フィールドバス、１５…ＨＡＲＴ通信線、１６…コントロールネットワーク、４０…アラート取得部、４１…脱着アラート解析部、４２…デバイスパラメータ読込部、４３…エンジニアリング情報作成処理部。
【図１】
2015185084.tif 000003
【図２】
2015185084.tif 000004
【図３】
2015185084.tif 000005